(57)【要約】【課題】滑り止め効果を維持しつつ、表面に残った水分を迅速に除去することが容易な床パネルを供えた浴室を提供する。【解決手段】少なくとも、浴槽洗い場側立面２３側部、またはカウンター６の前面側立面下部のいずれかに、洗い場２の床パネル５と連続する排水溝７を具備し、洗い場の床パネル上面には多数の面状凸部４０を近接して設けることにより上面流路４１、４２を形成するとともに、排水溝の洗い場側立面２４には、成形の際にアンダーカット部が生じることのない形状に立面流路５０を形成し、立面流路はその一端側を上面流路に通じるとともに、他端側は前記排水溝洗い場側立面の下半部にまで達するように設ける。【選択図】　　　図５
2004116258.tif 000002
【特許請求の範囲】
【請求項１】
少なくとも浴槽洗い場側立面側部、またはカウンターの前面側立面下部のいずれかに、洗い場の床パネルに連続するパネルとして構成される排水溝を具備し、
前記洗い場の床パネル上面には多数の面状凸部を近接して設けることにより前記凸部に対応する凹部が上面流路として形成され、
前記排水溝の前記洗い場側立面には、その一端側が前記上面流路に通じるとともに、他端側は前記排水溝洗い場側立面の下半部にまで達する立面流路が設けられ、
前記立面流路の形状は、前記パネル成形の際にアンダーカット部が生じないように形成されている
ことを特徴とする浴室。
【発明の詳細な説明】
【０００１】
【発明の属する技術分野】
本発明は、水の乾燥が早められた床パネルを備えた浴室に関する。
【０００２】
【従来の技術】
浴室は、幼児や老人も使用するので、床が滑りにくい安全な構造を持つことが要求されている。また、浴室を清潔に保つため、浴室の内部表面はなるべく早く乾燥することが望ましい。浴室の床パネル表面に関し、特許文献１には、先端面に滑り防止用の凹凸を有した多数の突部が互いに近接して突出し、突部の間の床パネル本体の上面は平滑面であって隣接する突部の間に水を流す流水部を形成し、突部の先端面は床パネル本体の上面の勾配方向に長くかつ長手方向の両端部が中間部よりも幅狭となる形状を有し、突部の両側縁はそれぞれ曲線であって隣り合う突部の側縁は互いに異なる形状の曲線であることを特徴とする浴室用床パンが開示され、この床パネルは、どの向きに踏んでも滑らないという効果を奏することが説明されている。
【０００３】
一方、特許文献２では、表面に滑り止め用の凸部と、これら凸部の間に排水口又は流し溝に連続する流路が形成され、少なくとも該流路の上に水玉の表面張力を破壊する凹凸形状部が重ねて形成されていることを特徴とする浴室用床パネルが開示されている。この特許文献２に開示された浴室用床パネルによれば、たとえ前夜の使用により表面に水が残ったとしても翌日には確実に乾燥しているという効果が得られるものとされている。
【特許文献１】
特開平６−９３７４５号公報
【特許文献２】
特開２００２−５４２９５号公報
【０００４】
【発明が解決しようとする課題】
しかし、特許文献１に開示された浴室用床パネルの構造によれば、どの方向に踏んでも滑らないという効果は奏せられるものの、床パネル表面に残った水分を除去するという面では、さほどの効果は認められていない。また、特許文献２に開示された浴室用床パネルの構造によれば、床パネル表面に形成される水玉を破壊することにより、水分は翌日に確実に乾燥するとはいうものの、床パネル表面には一定量の水が残る構造であり、この残った水は蒸発によってのみ床表面から除去されるので、残った水分を全て蒸発させるためには所定の時間を待たざるを得ないという問題があった。
【０００５】
そこで、本発明は、滑り止め効果を維持しつつ、表面に残った水分を迅速に除去することが容易な床パネルを備えた浴室を提供することを課題とする。
【０００６】
【課題を解決するための手段】
上記課題を解決するために本願発明者らは、上記従来の技術では、床パネル上の水分の蒸発に長時間を要していることに注目し、蒸発させるべき床パネル上面残水の量を極力少なくすることによって、全体としての乾燥時間を大幅に短縮することが可能であるという着想を得た。このため、床パネル上面の水分をできるだけ多く排水溝に導くことができるように流路の構造に工夫を凝らし、かつこの流路の構造は、プレス成型の際に容易な工程により生産可能なものとした。
【０００７】
以下、本発明について具体的に説明する。なお、本発明の理解を容易にするために添付図面の参照符号を括弧書きにて付記するが、それにより本発明が図示の形態に限定されるものではない。
【０００８】
本発明の浴室（１）は、少なくとも浴槽洗い場側立面（２３）側部、またはカウンター（６）の前面側立面下部のいずれかに洗い場（２）の床パネル（５）に連続するパネルとして構成される排水溝（７、７ａ）を具備し、洗い場の床パネル上面には多数の面状凸部（４０、４０ａ、４０ｂ、４０ｃ）を近接して設けることにより凸部に対応する凹部が上面流路（４１、４２、４３、４４）として形成され、排水溝の洗い場側立面（２４）にはその一端側が上面流路に通じるとともに、他端側は排水溝洗い場側立面の下半部（２４Ｌ）にまで達する立面流路（５０）が設けられ、立面流路の形状はパネル成形の際にアンダーカット部が生じないように形成されていることを特徴とするものである。ここに「アンダーカット」とは、成形品を型から取り出すときに、支障となる型または成形品の凸凹部をいう。
【０００９】
本発明にかかる浴室によれば、洗い場の床パネル上面には多数の面状凸部が近接して設けられているので、浴室使用者がどの方法に向いても滑ることがおき難い安全な浴室を構成することができる。
【００１０】
また、上面流路と立面流路とが通じており、立面流路は排水溝の下半部にまで達するように設けられているので、床パネル上面に残留する水は、上面流路から立面流路を経て速やかに排水溝へと導かれる。したがって、床パネル上面と、排水溝との境界付近に水が残留することがなく、床パネル上面の水分の大半が迅速に除去され、床パネル上に残る水分の量が少ないので、極めて短時間内に床パネル上面の全体を乾燥させることが可能となる。
【００１１】
また上面流路の形状にアンダーカット部がない。アンダーカット部がない形状は、例えば立面流路を、排水溝の長さ方向に対して略直交する方向に形成することにより達成することができる。このように、本発明にかかる浴室の上面流路の形状にはアンダーカット部がないので、平面部だけに溝を形成した従来の床パネルと同じ程度の費用で同じ型を作ることができる。なお、床パネルは、ＳＭＣ、ＢＭＣ成形等の方法によりプレス成型される。「ＳＭＣ成形」とは、シート状の成形材料を圧縮成形機、金型を使用して成形する方法をいう。主として、強化繊維プラスチック（ＦＲＰ）によって、大型成形品を生産するのに採用される。また、「ＢＭＣ成形（バルクモールディングコンパウンド成形）」とは、チョップドストランドを主体として強化繊維基材と、マトリックスをあらかじめ混練した塊状の成形材料ＢＭＣを用い、加熱した金型へチャージして型締を行ない成形する方法をいう。
【００１２】
上記のように立面流路の形状として、アンダーカット部を生じない構成をとることにより、単純な形状の安価な金型を使用することが可能となり、生産性の向上や、コストダウンに資することが容易となる。また、このような金型の使用により成型中の故障の発生も少ないという利点がある。
【００１３】
本発明のこのような作用及び利得は、次に説明する実施の形態から明らかにされる。
【００１４】
【発明の実施の形態】
以下本発明を図面に示す実施形態に基づき説明する。
【００１５】
図１は、浴室全体を表す平面図である。図２は、図１におけるＩＩ−ＩＩ線に沿った断面の概略を示す図である。以下に図１および図２を参照しつつ本発明の一実施形態である浴室１について説明する。浴室１は、いわゆるユニットバスとして形成されている。略直方体のユニットバスを構成する６面のうち、周囲に立設されている４面の壁のうち２つの断面２１、２２の下部が図２に示されている。一方、断面２１、２２の上部、および天井は図示が省略されている。図１に示される平面視によれば、浴室１は、洗い場２と浴槽エリア３とに二分されている。洗い場２はその側面２１の一部が開口されており、浴室出入口４が設けられている。
【００１６】
浴室１を使用する者は、浴室出入口４に設けられたドア４ａを浴室内部側に押し開いて、浴室内部の洗い場２に入ることができる。洗い場２は底面が床パネル５として構成されている。洗い場２の長手方向の一端側にカウンター６が設けられており、カウンター６には、必要に応じて鏡や石鹸置き場などが備えられ、使用者の便宜が図られている。
【００１７】
浴槽エリア３には、バスタブ１１が備えられている。バスタブ１１の底部には排水口１２が設けられ、使用時にはバス栓１２ａがはめ込まれ、湯がバスタブ１１内に貯湯される。浴槽エリア３内のバスタブ１１側部には水栓１４ａ、および湯栓１４ｂが設けられ、これらを操作することにより、蛇口１３からバスタブ１１内に所望の温度の湯を注ぎ込むことができる。なお、湯の供給は不図示の給湯器によっているが、本願発明に直接の関係を持たないのでその説明は省略する。
【００１８】
浴槽エリア３と洗い場２との間には排水溝７が設けられている。また、洗い場２のカウンター６が設けられている辺の端部にも排水溝７ａが設けられている（図１の平面視においては、排水溝７ａはカウンター６の下側の隠れた位置にあるため２点鎖線で示されている。）。さらに排水溝７および、７ａの一端側には排水トラップ８が設けられ、その上部はトラップカバーにて覆われている。
【００１９】
バスタブ１１からオーバーフローされた湯は排水溝７を経て、排水トラップ８より不図示の排水システムへと排出される。一方、洗い場２の床パネル５には、浴室出入り口４から排水トラップ８の方向にわずかな傾斜がつけられている。すなわち、図１の上下方向では上方が高く下方が低くなるように、洗い場２のカウンター６が設けられている辺に対向する辺からカウンター６が設けられている辺に向かって傾斜が設けられている。また、左右方向では、左側が高く右側が低くなるように、洗い場２の浴槽エリア３に隣接する辺に対向する側から浴槽エリア３に隣接する辺に向かって、傾斜が設けられている。（左右方向に関して、図２のＡ−Ｂ間では、ＡからＢへと次第に低くなる傾斜が付けられている。）したがって、洗い場２において、使用者が洗い流した湯は、床パネル５の傾斜に沿って排水溝７、７ａへと流れ、排水トラップ８から排水システムへと排出される。
【００２０】
本実施形態において、好ましい傾斜の勾配は１／３０〜１／６０、より好ましくは１／４０〜１／５０である。勾配がこれより急峻になると、浴室としての快適さが失われる。また勾配がこれより緩やかであると、排水性能が不十分になる。
【００２１】
排水溝７、７ａは、断面略「Ｕ」字型に形成されている。浴室１はユニットバスとして形成されているので、床パネル５、排水溝７、７ａ、およびバスタブ１１は一体として連続的に形成されている。したがって、排水溝７の洗い場側立面２４の上端は、床パネル５の端部に連続して設けられている。一方、浴槽洗い場側立面２３の下部が、排水溝７の浴槽側立面となっている。
【００２２】
図３は図１における破線に囲まれたＩＩＩで示される床パネル５の上面部分を拡大して示す図であり、図４は図３において破線に囲まれたＩＶで示される床パネル５上面の部分をさらに拡大して示す図である。また、図５は、浴室１のパネルにおいて、洗い場２から排水溝７を経てバスタブ１１の洗い場側立面２３の下部に至る部分をカットして示す斜視図である。（ａ）は斜め左上４５°付近の視点からの斜視図であり、（ｂ）は正面やや上方からの斜視図である。さらに、図６は図３におけるＶＩ−ＶＩ線に沿った断面の概略を示す図である。以下に、図３〜図６を参照しつつ、床パネル５、および排水溝７の排水構造について説明する。
【００２３】
床パネル５の上面には、碁盤の目状に多数の縦上面流路４１、４１、４１、…と横上面流路４２、４２、４２、…とが形成されている。これらの縦横方向に形成された上面流路に囲まれるようにして、多数の矩形を呈する面状の凸部４０、４０、４０、…も形成されている。さらにそれぞれの面状の凸部４０において、凸部４０を平面視において斜め方向に分断するように、斜行流路４３、４４が設けられている。斜行流路４３、４４により面状凸部４０は、３つのエリア４０ａ、４０ｂ、４０ｃに分割されている。また、斜行流路４３、４４の両端は、縦上面流路４１、４１、４１、…、横上面流路４２、４２、４２、…、または他の斜行流路のいずれかに通じている。このような斜行流路４３、４４による面状凸部４０の分断の方向は、一定ではなくランダムに配列されている。
【００２４】
図５（ａ）を参照して、縦上面流路４１、４１、４１、…は、床パネル５から排水溝７にいたる面のうち、床パネル５が形成する平面の部分にのみ形成されている。
【００２５】
一方、横上面流路４２、４２、４２、…は、床パネル５から排水溝７にいたる曲面にかけて連続的に形成され、排水溝７において立面流路５０、５０、５０、…を構成している。床パネル５の横上面流路４２、４２、４２、…から排水溝７に連続して設けられた立面流路５０、５０、５０、…の先端は、排水溝７の洗い場側立面２４の下半部２４Ｌにまで達している。ここに、排水溝７の洗い場側立面２４の下半部とは、床パネル５上面（平面部）の高さＨと、排水溝７底面の高さ（平面がないときは最低部の高さ）Ｌとの平均高さＭより下方に位置する排水溝７の洗い場側立面をいうものとする（図６参照）。
【００２６】
本実施形態において、斜行流路４３、４４により仕切られる３つのエリア４０ａ、４０ｂ、４０ｃからなる面状凸部４０の形状は必ずしも正方形である必要はなく、菱形や長方形の方形でもよく、また、例えば三角形、五角形以上の多角形であってもよい。
【００２７】
床パネル５上に水玉を発生させず、残水を素早く排水溝に導くという観点から、また、面状凸部４０の一辺の長さを、５ｍｍ〜１５ｍｍ、より好ましくは、８ｍｍ〜１２ｍｍとするとよい。また、同様な観点から、３つのエリア４０ａ、４０ｂ、４０ｃの形状は三角形、四角形、五角形等の多角形であり、一辺の長さを３ｍｍ〜１０ｍｍとすることが好ましい。
【００２８】
また、流路４１、４２、４３、４４に関しても、床パネル５上に水玉を発生させず、残水を素早く排水溝に導くという観点から、その幅は、底部において０．６ｍｍ〜２．０ｍｍ、より好ましくは０．８ｍｍ〜１．０ｍｍとするとよい。同様に、流路の深さに関しては、０．６ｍｍ〜１．２ｍｍ、より好ましくは０．７ｍｍ〜０．９ｍｍとすることが望ましい。さらに流路の深さ、および幅をほぼ一定に形成することが、残水を素早く排水溝７に導く上から好ましい。
【００２９】
上記のように床パネル５および排水溝７の流路４１、４２、４３、４４、５０が形成されている浴室１は、以下の特徴を有するものである。すなわち、床パネル５の上面に多数の面状凸部４０が形成されており、さらにこの面状凸部のそれぞれは流路により面状凸部４０が有する四辺とは異なる方向に分断され、かつその分断の方向が各面状凸部においてランダムに配列されているので、どの方向に対しても滑りにくく、かつ水玉が形成され難い構造の床面となっている。また、床パネル５の上面に縦横、斜め方向に形成された流路４１、４２、４３、４４は、排水溝７の洗い場側立面２４の下半部２４Ｌにまで延設された立面流路５０に通じているので、床パネル５上の水分は、床パネル５につけられた適度な傾斜と相俟って、これらの流路４１、４２、４３、４４、５０によって、素早く排水溝７へと導かれ、床パネル５上の残水が極めて少ない。したがって残水が蒸発に要する時間を短縮することが容易となり、床パネル５の素早い乾燥を実現することができる。
【００３０】
図７は、図６に示される断面の部分（以下において「パネル８０」という。）をプレス成型する際の、型抜き工程を示す概略断面図である。パネル８０のプレス成型は、上型６０と下型７０との間に、例えばＦＲＰ等の所定材料を充填し、圧縮の後、上型６０と下型７０とを上下方向に引き離し、製品としてのパネル８０を得ることができる。この上型６０と下型７０とを上下方向に引き離す際に、パネル８０の形状にいわゆるアンダーカット部があると、製品と型との分離がうまく行かないので、通常アンダーカット部がある場合には、この部分の型を別体（スライドコア）で構成して、型の開閉のたびにこのスライドコアを移動させてから製品を取り出さなければならない。したがってアンダーカット部があると、複雑で高価な金型、手間のかかる工程を必要とし、また成型中の故障の発生も多いものである。
【００３１】
しかし、本実施形態にかかる浴室１においては、アンダーカット部が出やすい立面部の流路として、正面視で垂直方向にのみ立面流路５０、５０、５０、…を形成し、横方向に流路を設けることはしなかったので、アンダーカットを出さずに、排水溝洗い場側立面の下半部２４Ｌまで流路を形成することが可能となった。したがって、パネルをＳＭＣ、ＭＢＣ等の材料によりプレス成型する際に、単純な形状の安価な金型を使用することが可能となり、生産性の向上や、コストダウンに資することが容易となる。また、このような金型の使用により成型中の故障の発生も少ないという利点がある。
【００３２】
本実施形態の浴室１を製造する際の、抜き勾配（型抜きの方向に対する製品立面部の角度）は、３°以上、とすることが望ましい。抜き勾配をこれ以下にすると、型抜きの際に型と製品との間に大きな摩擦が生じ、製品表面に傷が発生する場合があるので好ましくない。
【００３３】
【実施例】
＜１＞　試験方法
勾配を変えることができる装置に、パネルを固定して、パネル中央部よりやや水上側（排水溝と反対側）に所定量の水を注いだ。このときの水の流れを目視にて観察した。また、パネル表面が完全に乾燥するまでの時間を計測した。
【００３４】
＜２＞　試験条件
勾配は１／６０に設定した。注いだ水の量は１００ｃｃであった。乾燥時の周囲温度は３０℃、湿度６０％であった。
【００３５】
＜３＞　評価対象パネル
パネルＡ：上記本発明実施形態にかかるもの。
パネルＢ：パネルＡで、立面流路が形成されていないもの。
【００３６】
＜４＞　評価結果
パネルＡでは、面状凸部により水玉が形成されず、縦横流路、および斜行流路へと水が流れ込み、面状凸部には水が残らない状態で全ての水が排水溝へと滞りなく排水された。また、パネル上に濡れた状態で残った少量の水分は、１時間で全量が蒸発し、パネル上面は乾燥状態となった。
【００３７】
一方、パネルＢは、上面に水玉は形成されなかったものの、パネルの排水溝際に明らかな水残りが認められた。この水残りは、１時間経過しても全てが蒸発することはなく、一部が残っていた。パネルＢでは、立面流路が形成されていないため、床パネルの傾斜及び平面流路により床パネル上の水は床パネルと排水溝立面とが連続される曲面の床パネル端部に導かれ、そこで水の表面張力により一定の大きさの水滴になる。この水滴が所定の大きさを超えると表面張力が曲面の傾斜に抗しきれなくなって、水滴は排水溝へと落ち込んでゆく。したがって、床パネル上の水分が少なくなってくると、もはや床パネル端部に形成された水滴は、曲面の傾斜に沿って排水溝側へと落ち込むほどには大きくなりえず、中途半端な大きさのまま床パネル端部において水滴となって残ってしまう。上記１時間後の水残りは、この残水が全部蒸発せずに残ったため観察されたものと認められる。
【００３８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う浴室もまた本発明の技術的範囲に包含されるものとして理解されなければならない。
【００３９】
例えば以下に示す変形例は本願発明の技術的範囲に属するものと解釈されるべきものである。
【００４０】
＜変形例＞　上記実施形態においては、浴室をユニットバスとして構成した例を説明したが、本発明においては、床パネルと排水溝とが一体に形成されていれば足り、バスタブ、側壁、出入り口、天井等は別体に形成してもよい。
【００４１】
また、床パネルおよび排水溝を形成する材料として、ＳＭＣ、ＢＭＣを例にあげたが本発明はこれに限定されるものでなく、例えば、ステンレス鋼等の金属材料により構成することも可能である。
【００４２】
さらに、排水溝は、浴槽側とカウンター側の両方に設けられた例を示したが、これらのうちいずれか一方だけに設けてもよい。
【００４３】
【発明の効果】
以上に説明したように、本発明にかかる浴室によれば、洗い場の床パネル上面には多数の面状凸部が近接して設けられているので、浴室使用者がどの方法に向いても滑ることがおき難い安全な浴室を構成することができる。
【００４４】
また、上面流路と立面流路とが通じており、立面流路は排水溝の下半部にまで達するように設けられているので、床パネル上面に残留する水は、上面流路から立面流路を経て速やかに排水溝へと導かれる。したがって、床パネル上面と、排水溝との境界付近に水が残留することがなく、床パネル上面の水分の大半が迅速に除去され、床パネル上に残る水分の量が少ないので、極めて短時間内に床パネル上面を乾燥させることが可能となる。
【００４５】
また上面流路の形状にアンダーカット部がないので、床パネルをＳＭＣ、ＢＭＣ等の材料によりプレス成型する際に、単純な形状の安価な金型を使用することが可能となり、生産性の向上や、コストダウンに資することが容易となる。また、このような金型の使用により、平面部だけに溝を形成した従来のものと同程度の費用で同じ型を作ることができ、成型中の故障の発生も少ないという利点がある。
【図面の簡単な説明】
【図１】浴室全体を表す平面図である。
【図２】図１におけるＩＩ−ＩＩ線に沿った断面の概略を示す図である。
【図３】図１における破線に囲まれたＩＩＩで示される部分を拡大して示す図である。
【図４】図３における破線に囲まれたＩＶで示される部分を拡大して示す図である。
【図５】浴室の、洗い場から排水溝を経て浴槽の洗い場側立面の下部に至る部分をカットして示す斜視図である。（ａ）は斜め左上４５°付近の視点からの斜視図であり、（ｂ）は正面やや上方からの斜視図である。
【図６】図３におけるＶＩ−ＶＩ線に沿った断面の概略を示す図である。
【図７】プレス成型における型抜きの工程の概略を示す断面図である。
【符号の説明】
１　浴室
２　洗い場
５　床パネル
６　カウンター
７、７ａ　排水溝
２３　浴槽洗い場側立面
２４　排水溝の洗い場側立面
２４Ｌ　排水溝の洗い場側立面下半部
４１、４２、４３、４４　上面流路
５０　立面流路
【図１】
2004116258.tif 000003
【図２】
2004116258.tif 000004
【図３】
2004116258.tif 000005
【図４】
2004116258.tif 000006
【図５】
2004116258.tif 000007
【図６】
2004116258.tif 000008
【図７】
2004116258.tif 000009